(57)【要約】 【課題】表示部における情報の視認性を向上させることができる携帯用機器の外装部品、および携帯用機器の提供。【解決手段】ブロックパターン６１が液晶パネル２１の周縁近傍に表示されたバーグラフ２１３，２１４にそれぞれ隣接することにより、バーグラフ２１３，２１４を見る際にはブロックパターン６１と同時に見ることになり、バーグラフ２１３，２１４の領域がブロックパターン６１側に拡大されてバーグラフ２１３，２１４の領域とブロックパターン６１とが一体的に見える視覚効果が得られる。この視覚効果により、バーグラフ２１３，２１４が強調されるので、液晶パネル２１の構成を変更することなく、外装部品３に係るブロックパターン６１によって、表示された情報の視認性（判読性）を大きく向上させることができる。【選択図】図１
2006138760.tif 000002
【特許請求の範囲】
【請求項１】
ケースの開口部を介して情報を表示する表示部と、前記表示部の周縁に沿って配設される環状部材とを備え、
前記環状部材の内周側には、前記表示部に隣接して前記表示部で表示された内容を視覚的に強調するための表示補助部を有している
ことを特徴とする携帯用機器の外装部品。
【請求項２】
請求項１に記載の携帯用機器の外装部品において、
前記環状部材は、前記表示部の周縁を覆う見切部材である
ことを特徴とする携帯用機器の外装部品。
【請求項３】
請求項１または請求項２に記載の携帯用機器の外装部品において、
前記表示補助部は、前記表示部の表面に対して視認方向側に斜めに立ち上がっている
ことを特徴とする携帯用機器の外装部品。
【請求項４】
請求項１から請求項３のいずれかに記載の携帯用機器の外装部品において、
前記表示部で表示された内容は、前記表示部の周縁に沿って延び、情報の変化に応じてその延出寸法が変化し、
前記表示補助部は、前記表示部で表示された内容の変域全体にわたって当該表示された内容に沿って設けられている
ことを特徴とする携帯用機器の外装部品。
【請求項５】
請求項４に記載の携帯用機器の外装部品において、
前記表示部で表示された内容は、延出方向と交差する方向に沿って分割され、
前記表示補助部は、当該表示された内容と同じ位置で、かつ同じ方向に沿って分割されている
ことを特徴とする携帯用機器の外装部品。
【請求項６】
請求項４に記載の携帯用機器の外装部品において、
前記表示補助部は、前記表示部で表示された内容の延出方向と交差する方向にそれぞれ延びて当該表示された内容を指示する複数の指示部を有する
ことを特徴とする携帯用機器の外装部品。
【請求項７】
請求項１から請求項６のいずれかに記載の携帯用機器の外装部品において、
前記環状部材には、前記表示補助部が強調用突起を有する場合の当該強調用突起か、又は表示部に表示された情報の種別を示すための情報種別表示突起か、又は装飾用突起が当該環状部材の表面から突設され、
前記強調用突起、前記情報種別表示突起、および前記装飾用突起が、前記環状部材と一体に形成されている
ことを特徴とする携帯用機器の外装部品。
【請求項８】
請求項７に記載の携帯用電子機器の外装部品において、
前記強調用突起、前記情報種別表示突起、前記装飾用突起、および環状部材は、電鋳により一体に形成されている
ことを特徴とする携帯用機器の外装部品。
【請求項９】
請求項１から請求項８のいずれかに記載の携帯用機器の外装部品において、
前記環状部材は、互いに重ねられる第１板部材と第２板部材とを有している
ことを特徴とする携帯用機器の外装部品。
【請求項１０】
請求項９に記載の携帯用機器の外装部品において、
前記第１板部材の内周側には、前記第２板部材に向かって突出して前記表示補助部が設けられる凸部が形成され、この凸部の外周側には、周方向に沿った環状の段差部が形成され、
前記第２板部材は、前記段差部に配置される
ことを特徴とする携帯用機器の外装部品。
【請求項１１】
請求項１０に記載の携帯用機器の外装部品において、
前記凸部の立ち上がり部分と前記第２板部材との間には、隙間が形成されている
ことを特徴とする携帯用機器の外装部品。
【請求項１２】
請求項９または請求項１０に記載の携帯用機器の外装部品において、
前記凸部は、平面的に見た際に、非円形形状に形成されている
ことを特徴とする携帯用機器の外装部品。
【請求項１３】
請求項１から請求項１２のいずれかに記載の携帯用機器の外装部品を備えることを特徴とする携帯用機器。
【請求項１４】
請求項１３に記載の携帯用機器において、
時計またはダイビングコンピュータである
ことを特徴とする携帯用機器。
【請求項１５】
請求項１４に記載の携帯用機器において、
ダイビングコンピュータであり、
前記表示部で表示された内容は、潜水時の体内酸素量表示および／または体内不活性ガス量表示を含む
ことを特徴とする携帯用機器。
【発明の詳細な説明】
【技術分野】
【０００１】
本発明は、ケースの開口部を介して情報を示す表示部に対し、その表示部の周縁に沿ってケースに配設される環状部材を備えている携帯用機器の外装部品、および携帯用機器に関する。
【背景技術】
【０００２】
従来、時計をはじめとする携帯用機器では、時刻、月日など、その携帯用機器の機能に応じた各種の情報が液晶パネルなどの表示部に様々な態様で示されている。
例えば、潜水時に携帯されるダイビングコンピュータを例にとると、液晶表示部中央には、水深や水温、潜水時間、日付、曜日などが表示され、表示部の周縁に沿って設けられた細長い領域には、潜水時に体内に溶け込んだ体内不活性ガス量がバーグラフ表示されている（特許文献１参照）。そして、この体内不活性ガス量に応じて、減圧状態に至ったことを意味する「ＤＥＣＯ」という警告や、不活性ガスを体外に排出するために浮上停止すべき水深、その停止時間などが表示されている。
【０００３】
【特許文献１】特開２００４−９９０３９号公報（［００３５］〜［００３７］、図１）
【発明の開示】
【発明が解決しようとする課題】
【０００４】
しかしながら、上記のダイビングコンピュータにおいて、体内不活性ガス量は水深などと同様、重要な情報であるにも関わらず、液晶パネル上に他の情報と一様に表示され、しかも、表示部の端部に設けられていることが多いので目立たず、水中、それも夜間では判読しにくいという問題がある。また、状態量を示すバーグラフの場合、状態量の変化に応じてバー領域における表示／非表示部分の割合が変化するが、たとえ、バー領域の表示部分が見えたとしても、非表示部分は見えずらいため、全体における状態量の割合を把握するのが困難であった。
このような問題は、ダイビングコンピュータに限らず、時計や携帯電話、カメラ、温度計、速度計、距離計、高度計、水深計などの携帯用機器において表示される電池残量や通信状態、温度、湿度、標高、距離、速度、モード、月齢、潮齢などの各種の情報に関しても同様に生じていた。
【０００５】
本発明の目的は、上記問題に鑑みて、表示部における情報の視認性を向上させることができる携帯用機器の外装部品、および携帯用機器を提供することにある。
【課題を解決するための手段】
【０００６】
本発明の携帯用機器の外装部品は、ケースの開口部を介して情報を表示する表示部と、前記表示部の周縁に沿って配設される環状部材とを備え、前記環状部材の内周側には、前記表示部に隣接して前記表示部で表示された内容を視覚的に強調するための表示補助部を有していることを特徴とする。
この発明によれば、表示補助部が表示部に表示された内容に隣接することにより、その表示部で表示された表示内容を見る際には表示補助部と同時に見ることになり、その表示内容の領域が表示補助部側に拡大されて当該表示内容の領域と表示補助部とが一体的に見える視覚効果が得られる。この視覚効果により、表示部で表示された内容が強調されるので、表示部の構成を変更することなく、携帯用機器の外装に係る表示補助部によって、表示された情報の視認性（判読性）を大きく向上させることができる。
ここで、外装部品とは、外部から視認可能な携帯用機器の部品のことを言う。この外装部品の代表的なものとしては、携帯用機器の駆動体を保護する部品を挙げることができる。
【０００７】
本発明の携帯用機器の外装部品では、前記環状部材は、前記表示部の周縁を覆う見切部材であることが好ましい。
この発明によれば、表示部の周縁と近い見切部材の内周側に表示補助部が形成されるので、表示部で表示された内容の視認性を向上させることができる。また、表示部の周縁近傍に通常設けられる見切部材に表示補助部を形成することにより、表示補助部を形成するための部材を不要にできる。
【０００８】
本発明の携帯用機器の外装部品では、前記表示補助部は、前記表示部の表面に対して視認方向側に斜めに立ち上がっていることが好ましい。
この発明によれば、表示部の表示内容を見た際に、表示部の表面から表示補助部へと視線が斜め上方にスムーズに流れ、また、表示補助部の上端側は手前に迫り出して見えるので、表示補助部による表示内容の強調効果がより一層高まる。
また、表示補助部が視認方向側に斜めに立ち上がっているため、携帯用機器の表示部正面の位置以外からも表示補助部の斜面が見え、この表示補助部を介して表示部の表示内容を容易に視認できる。
【０００９】
本発明の携帯用機器の外装部品では、前記表示部で表示された内容は、前記表示部の周縁に沿って延び、情報の変化に応じてその延出寸法が変化し、前記表示補助部は、前記表示部で表示された内容の変域全体にわたって当該表示された内容に沿って設けられていることが好ましい。
ここで、表示補助部の形態としては、例えば、状態量を示すバー表示であって、そのバーの領域において表示部分の割合が変化するバーグラフなどを採用できる。
この発明によれば、表示部の表示内容の隣に当該表示内容の変域が表示補助部によって示され、表示された情報の変域全体における割合などを容易に把握できるので、表示部の表示内容の内容を確実に認識できる。
【００１０】
本発明の携帯用機器の外装部品では、前記表示部で表示された内容は、延出方向と交差する方向に沿って分割され、前記表示補助部は、当該表示された内容と同じ位置で、かつ同じ方向に沿って分割されていることが好ましい。
ここで、表示部の表示内容および表示補助部の表示形態としては、上記のようなバーグラフにあっては、バーが複数のセグメント（単位領域）に分割され、セグメント境界で段階的に増減するものを例示できる。
この発明によれば、表示部の表示内容が分割されていることにより、表示された情報をセグメントなどの数として容易に把握できる。さらに、表示部の表示内容と同様に分割された表示補助部における部分の数とセグメント数と表示部の表示内容におけるセグメント数との比較により、表示された情報の変域全体における割合などを容易に把握できる。
【００１１】
本発明の携帯用機器の外装部品では、前記表示補助部は、前記表示部で表示された内容の延出方向と交差する方向にそれぞれ延びて当該表示された内容を指示する複数の指示部を有することが好ましい。
この発明によれば、指示部材によって表示部の表示内容が分割されている、ないし分割されているように見える場合は、上記と同様に、表示された情報をセグメントの数として容易に把握できる。
また、表示部の表示内容が状態量を示しておりこの状態量に閾値がある場合などは、表示部の表示内容の閾値に相当する位置を指示部材によって指し示すことにより、表示された情報を閾値との関係で容易に認識できる。
【００１２】
本発明の携帯用機器の外装部品では、前記環状部材には、前記表示補助部が強調用突起を有する場合の当該強調用突起か、又は表示部に表示された情報の種別を示すための情報種別表示突起か、又は装飾用突起が当該環状部材の表面から突設され、前記強調用突起、前記情報種別表示突起、および前記装飾用突起が、前記環状部材と一体に形成されていることが好ましい。
この発明によれば、このような強調用突起や情報種別表示突起、装飾用突起が環状部材と一体に形成されているので、落下衝撃や振動などに対しても、これらの突起が環状部材から取れるおそれがない。特に、本発明が適用される携帯用機器が、例えば、高い耐久性が要求されるダイビングコンピュータなどである場合には、本構成は非常に有効である。
なお、強調用突起は、視覚的な強調効果を得るために、環状部材の表面から突出して形成されたものである。また、情報種別表示突起としては、例えば、その情報が体内酸素量である場合には、「Ｏ２」の文字を模したものに、さらに、その情報が体内不活性ガス量である場合には、「Ｎ２」の文字を模したものとすることができる。また、装飾用突起には、例えば、携帯用機器の製品名やメーカー名などのロゴマークも含まれる。
【００１３】
ここで、前記強調用突起、前記情報種別表示突起、前記装飾用突起、および環状部材は、電鋳により一体に形成されていることが好ましい。
本発明のこの構成によれば、電鋳により、環状部材を製造する際に強調用突起、情報種別表示突起、装飾用突起などの突起も環状部材と一体に形成されるので、別途製作した突起を環状部材に貼り合わせたりしなくても、立体的なデザインとすることができる。これにより、位置決めなどが煩雑な貼り合わせ工程が不要となって製造工程を簡略化できるとともに、各突起を環状部材に確実に固定できる。そして、各突起を環状部材に貼り合わせる場合とは異なり、接着剤が環状部材の表面にはみ出すなどの不具合が解消されるので、外観の良好な環状部材を安定した品質で製造できる。
また、電鋳は模様パターンの再現性に優れているため、金属プレス成形や樹脂等による射出成形、および塗装や印刷等の仕上加工によって製造されたものを上回る装飾性や質感を容易に得ることができる。これにより、外観意匠に優れた様々な種類の環状部材を製造できる。
さらに、電鋳の優位性については、鏡面から白蝶貝、梨地等の精密なパターンの微細な形状までも忠実に再現することができるほどである。パターンの向きも問わず、平面的なパターンも立体的なパターンもその形状が際立ち、複雑な凹凸形状を再現できる。
【００１４】
本発明の携帯用機器の外装部品では、前記環状部材は、互いに重ねられる第１板部材と第２板部材とを有していることが好ましい。
この発明によれば、環状部材が二体であるため、第１板部材の仕上と第２板部材の仕上とを組み合わせて、一体部品では制約のあるめっきおよび塗装仕上などを組み合わせた複合仕上げを容易に実現できる。
また、この環状部材の一方の板部材を他の板部材と交換するだけでデザインのバリエーションを容易に得ることができる。ここで、第１板部材ではどちらかといえば装飾性よりも視認性・判読性などの視覚的機能が重視され、表示部の内容を強調するために、例えば突起が配置されたり、あるいは平面的な凹凸形状とされたり、その外観デザインに制約がある場合がある。したがって、デザインバリエーション上は、第２板部材の仕上げを追加することにより、容易にモデル追加が可能である。
さらに、電鋳によって環状部材を形成する場合は、第１板部材、第２板部材の二体を別々に形成することにより、金属の析出に要する時間を短縮できるので、量産が可能となる。
【００１５】
本発明の携帯用機器の外装部品では、前記第１板部材の内周側には、前記第２板部材に向かって突出して前記表示補助部が設けられる凸部が形成され、この凸部の外周側には、周方向に沿った環状の段差部が形成され、前記第２板部材は、前記段差部に配置されることが好ましい。
この発明によれば、第１板部材に凸部が形成されていることにより、第１板部材の凸部の外周側に第２板部材を配置して、第１板部材と第２板部材とを互いにずれることなく重ね合わせることができる。また、凸部により、環状部材の内周側には第１板部材と第２板部材との合わせ目が露出しないので、外観意匠を良好にすることができる。
【００１６】
本発明の携帯用機器の外装部品では、前記凸部の立ち上がり部分と前記第２板部材との間には、隙間が形成されていることが好ましい。
この発明によれば、このような隙間があることによって、第２板部材と第１板部材とを重ね合わせる際の、凸部の立ち上がり部分と第２板部材との干渉を防止できる。
【００１７】
本発明の携帯用機器の外装部品では、前記凸部は、平面的に見た際に、非円形形状に形成されていることが好ましい。
この発明によれば、凸部の外周側に配置される第２板部材の回転を防止できる。
【００１８】
本発明の携帯用機器は、前述の携帯用機器の外装部品を備えることを特徴とする。
この発明によれば、外装部品が前述したような作用及び効果を具備するため、同様の作用および効果を享受できる。すなわち、情報の視認性に優れた携帯用機器を提供できる。
【００１９】
本発明の携帯用機器では、時計またはダイビングコンピュータであることが好ましい。
この発明によれば、時計およびダイビングコンピュータは、情報の表示そのものを主たる機能としているので、これらの時計およびダイビングコンピュータに前述の外装部品を適用することにより、本発明の効果を際立たせることができる。
【００２０】
本発明の携帯用機器では、ダイビングコンピュータであり、前記表示部で表示された内容は、潜水時の体内酸素量表示および／または体内不活性ガス量表示を含むことが好ましい。
ここで、不活性ガスとは、窒素ガス、希ガス、ヘリウムガスなどをいう。
この発明によれば、体内酸素量および体内不活性ガス量は潜水時の重要情報であって、これらの情報を確実に視認できる。
【発明の効果】
【００２１】
このような本発明によれば、表示補助部が表示部で表示された内容に隣接することによって、その表示された内容が強調されるから、表示部の構成を変更することなく、携帯用機器の外装に係る表示補助部によって、表示された情報の視認性を大きく向上させることができる。
【発明を実施するための最良の形態】
【００２２】
〔第１実施形態〕
以下、本発明の第１実施形態を図面に基づいて説明する。なお、以下の説明では、本実施形態のダイビングコンピュータ１の構成に関し、時計について慣用される９時位置、３時位置などの表現を使用する場合がある。
図１は、ダイビングコンピュータ１を示す平面図であり、図２は、図１のダイビングコンピュータ１のII−II線矢視図である。
ダイビングコンピュータ１は、潜水に際して、深度（高度）、潜水時間、体内不活性ガス量をはじめとする各種の情報を利用者に提供する携帯用機器であり、装置本体２と、この装置本体２を収容する外装部品３とを備えて構成されている。
【００２３】
装置本体２は、潜水時に必要とされる各種の情報が表示される表示部２０と、モード変更や表示画面の切り替えを行う複数の操作ボタン４１と、回路基板等を有する制御部４０と、詳しい図示を省略するが、計時装置と、水検知センサ、圧力センサ、温度センサなどのセンサ類と、報音装置とを備えている。
制御部４０は、操作ボタン４１や計時手段、センサからの入力信号に応じてモードごとに処理を行い、表示部２０や報音装置に信号を送っている。また、制御部４０には、過去の潜水の日付、深度、潜水時間、体内ガス量などの潜水データをログとして保存するためのＲＡＭが設けられている。
【００２４】
表示部２０は、液晶パネル２１、駆動回路２２、および照明装置２３を備えて構成されている。
液晶パネル２１は、一対の透明なガラス基板に電気光学物質である液晶が封入され、電圧印加による液晶分子の配列変化によって光を変調し、表示画像を形成するものとなっている。
【００２５】
駆動回路２２は、導線が格子状に配置された単純マトリクス方式のものであり、制御部４０からの信号に応じて、液晶パネル２１に電圧を印加している。
また、照明装置２３は、発光素子として有機ＥＬ（Electro Luminescence）を備えて構成されているが、発光ダイオードなどを備えて構成することもできる。
【００２６】
外装部品３は、図１および図２に示すように、装置本体２が収容されるケース３１と、ケース３１内に配設される環状の見切板５０と、ケース３１の開口部３１１に設けられる風防３２と、風防３２の周りに設けられるベゼル３３とを備えて構成されている。
【００２７】
ケース３１は、胴部３５と、この胴部３５の一方の開口部を覆う裏蓋３６とを備えている。
胴部３５は、ステンレス鋼、ブラス（黄銅、真鍮）、チタン等の金属製の筒状部材であって、外周側が内から外に向かって膨出する凸曲面状に形成されている。また、胴部３５の６時位置および１２時位置には、ダイビングコンピュータ１を腕に装着するためのバンドが取り付けられるバンド取付部３５Ａがそれぞれ形成されている。
この胴部３５の内側には、図２に示すように、内周面から面外方向に突出するリブ３５１が形成され、このリブ３５１は、平面的に見ると、ケース３１の周に沿って環状に形成され、このリブ３５１の周上、６時位置には、１つの穴３５１Ａが形成されている。
【００２８】
裏蓋３６は、胴部３５と同様の金属材料により略円形板状に形成され、胴部３５の一方の開口部を覆うように胴部３５に四箇所ビス止めされている。
また、裏蓋３６と胴部３５との間には、ニトリルゴム等の合成ゴム材料によるリング状のパッキン３６１が介装されている。
【００２９】
風防３２は、胴部３５の裏蓋３６とは反対側の開口部３１１にパッキン３２１を介装して圧入されている。これにより、ケース３１内部の装置本体２が水密状態に保たれている。
そして、ベゼル３３は、合成樹脂や金属製のリング状部材であって、ケース３１の外面にビス止めされている。
【００３０】
ここで、本実施形態のダイビングコンピュータ１は、表示部２０に表示された情報の内容が見切板５０によって視覚的に強調されていることを特徴としており、この見切板５０によって強調される表示部２０の表示内容である情報表示２００について簡単に説明する。
液晶パネル２１の表示画面は、図１に示すように、上段領域２１１、下段領域２１２、９時側に設けられた体内不活性ガス量を示す第１バーグラフ２１３、および３時側に設けられた体内酸素量を示す第２バーグラフ２１４の各領域に分かれている。
【００３１】
上段領域２１１には、「ＳＴＯＰ」や「ＮＯ  ＳＴＯＰ」などと表示するメッセージ部２１１３、無減圧可能時間や減圧停止深度を表示する減圧表示部２１１２、潜水時間や停止時間などを表示する時間表示部２１１３が配置されている。
また、下段領域２１２には、現在水深や最大水深を表示する深度表示部２１２１が中央に大きく配置され、この深度表示部２１２１の周りには、減圧状態を意味する「ＤＥＣＯ」および浮上速度超過を意味する「ＳＬＯＷ」などの警告を表示する警告表示部２１２２、さらに、潜水タンク内のガスの酸素分圧が通常よりも高い（２２％以上）ナイトロクス潜水を行う際に「ＮＸ」と表示するＮＸ表示部２１２３、そして、このナイトロクス潜水時において、「ＰＯ２」とのフラグ表示とともに体内の酸素分圧を表示する酸素分圧表示部２１２４が配置されている。
【００３２】
第１バーグラフ２１３は、液晶パネル２１の周縁に沿って延び、窒素ガス、希ガス、ヘリウムガスなどの体内不活性ガスの量の変化に応じてその延出寸法が変化するものである。この第１バーグラフ２１３は、その延出方向と交差する方向に沿って、９つのセグメントＳＧＴに分割され、これらの９つのセグメントＳＧＴすべてが非表示の場合を含めて、レベル０からレベル９まで体内不活性ガス量の１０のレベルを示すようになっている。
一方、体内酸素量を示す第２バーグラフ２１４は、第１バーグラフ２１３と同様に、液晶パネル２１の周縁に沿って延び、その延出方向と交差する方向に沿って９つのセグメントＳＧＴに分割され、レベル０からレベル９まで体内酸素量の１０のレベルを示すようになっている。
【００３３】
以下、本実施形態で最も特徴的な見切板５０の構成について詳細に説明する。
図３は、見切板５０の平面図であり、図４は、図３におけるIV−IV線矢視図である。
見切板５０は、液晶パネル２１の周縁と重なるようにケース３１内に配設された厚さ１ｍｍ程度の環状部材であって、内周側の形状が角が円い略矩形状となっている。この見切板５０は、厚さ方向に二分され、第１板部材５１と第２板部材５２との二体構成となっている。
【００３４】
第１板部材５１は、断面略Ｌ字状であって、内周側に第２板部材５２に向かって突出する凸部５１１を有し、外周側が凸部５１１よりも一段低い段差部５１２となっている。
凸部５１１は、液晶パネル２１の表面に対して視認方向側に斜めに立ち上がる斜面５１１Ａを有しており、この斜面５１１Ａには、液晶パネル２１の情報表示２００を強調する表示補助部６０が設けられている。
【００３５】
表示補助部６０は、第１板部材５１と一体形成されて斜面５１１Ａから立方体状に突出する強調用突起としての複数のブロックパターン６１により構成されている。これらのブロックパターン６１は、第１バーグラフ２１３および第２バーグラフ２１４とそれぞれ隣接する位置に、これらのバーグラフ２１３，２１４の延出方向に沿って、セグメントＳＧＴの数と同じ９つずつ並んで配置され、かつ、セグメントＳＧＴの分割位置で所定間隔をおいて点線状に配置されている。なお、第１バーグラフ２１３側および第２バーグラフ２１４側それぞれにおいて両端に配置されたブロックパターン６１は、第１板部材５１内周の角の丸みに沿って、他のブロックパターン６１よりも細長く形成され、他のブロックパターン６１との区別が容易となっている。
なお、ブロックパターン６１の表面には、矩形状のパターンが印刷され、図１において、第１バーグラフ２１３に沿って配置されたブロックパターン６１、および第２バーグラフ２１４に沿って配置されたブロックパターン６１のそれぞれ上３つのパターン表面は、例えば赤などの注意喚起しやすい色で印刷されている。
【００３６】
また、第１板部材５１の裏面側、６時位置には、ピン状の部材が溶接により突設され、これは位置決め用のピン足５１３とされている（図２）。このピン足５１３の先端部は膨出しており、ケース３１内のリブ３５１に形成された穴３５１Ａと係合するようになっている。
【００３７】
一方、第２板部材５２は、第１板部材５１の段差部５１２に重ねられて第１板部材５１と接着材により貼り合わせられている。この重ねられた状態では、第１板部材５１の凸部５１１の先端と第２板部材５２の表面とが略同じ高さとなっている。また、第２板部材５２の外周寸法は、第１板部材５１の外周寸法よりも小さく、第１板部材５１の外周Ｓ１に納まっている。さらに、第２板部材５２の内周寸法は、第１板部材５１の凸部５１１外周よりも大きく、凸部５１１の段差部５１２側の立ち上がり面と第２板部材５２との間には、微小な隙間ＳＰが形成されている。
【００３８】
第２板部材５２の表面には、第２板部材５２と一体形成された立体的な文字パターン７１，７２が３時位置、９時位置に情報種別表示突起としてそれぞれ突設されている。これらの文字パターン７１，７２は、第１バーグラフ２１３および第２バーグラフ２１４がそれぞれ示す体内ガス量のガスの種別を示しており、９時位置に形成された文字パターン７１は、体内不活性ガスの一つである窒素の分子式「Ｎ２」の文字を模した形状となっている。また、３時位置に形成された文字パターン７２は、酸素の分子式「Ｏ２」の文字を模した形状となっている。
【００３９】
第２板部材５２と風防３２との間には、円形リング状のスペーサ５５が第２板部材５２の外周部分に配置されている。このスペーサ５５の厚さ寸法は、文字パターン７１，７２の第２板部材５２からの突出寸法よりも大きいものとなっている。
なお、このスペーサ５５は第２板部材５２と一体に形成されていてもよい。
【００４０】
次に、このような見切板５０の製造およびケース３１への組み込みについて簡単に説明する。
見切板５０の製造は、第１板部材５１、第２板部材５２ごとに電鋳によって行われる。その手順としては、まず、第１板部材５１および第２板部材５２の種型をそれぞれ作成する。そして、作成した種型を樹脂材料に転写して第１板部材５１および第２板部材５２の成形型を得る。次いで、これらの樹脂製成形型の表面に導電性の被膜を蒸着し、電気分解作用によって溶液中の銅等の金属を型の表面に析出させる電鋳を第１板部材５１および第２板部材５２について、それぞれ厚さ０．５ｍｍ程度となるまで実施する。ここで、電鋳は模様パターンの再現性に優れているため、ブロックパターン６１や文字パターン７１，７２などの微細な立体パターンなどを容易に実現できる。
【００４１】
こうして得られた電鋳部分を離型後、裏面側を挽加工したものを第１板部材５１および第２板部材５２の基材として、これらの基材に装飾加工を実施する。
本実施形態では、第１板部材５１の凸部５１１の斜面５１１Ａ、および第２板部材５２の表面を電鋳により鏡面とした後、クリア塗装による保護膜形成、ブロックパターン６１や文字パターン７１，７２への印刷、の順で仕上げている。
この際、見切板５０が二体であることから、第２板部材５２を塗装仕上とし、この塗装仕上と第１板部材５１の鏡面仕上との組み合わせによる複合仕上も容易にできる。また、第１板部材５１および第２板部材５２の別色塗装がマスキングなしで可能である。
さらに、第１板部材５１を銀めっきとし、第２板部材板５２を金めっきとするなどの複合めっき仕上も容易にできる。
【００４２】
第１板部材５１および第２板部材５２の仕上後、これらの第１板部材５１および第２板部材５２を重ね合わせて接着する。この際、第１板部材５１の凸部５１１と第２板部材５２との間に隙間ＳＰがあるため、第１板部材５１と第２板部材５２との干渉が生じない。また、凸部５１１の平面形状が非円形状の略矩形状であるため、第２板部材５２の第１板部材５１に対する回転が規制され、接着の際に第１板部材５１と第２板部材５２との位置がずれず、容易に作業できる。
以上により、見切板５０が完成する。
【００４３】
この見切板５０をケース３１内に組み込む際には、見切板５０の６時と胴部３５の６時位置とを合わせ、ケース３１の開口部３１１から見切板５０を挿入する。この際、第１板部材５１の外周に第２板部材５３が納まっているので、第１板部材５１を外形基準として見切板５０を胴部３５に挿入する際に、第２板部材５２が胴部３５内周に干渉しない。
そして、胴部３５内部のリブ３５１に見切板５０を配置すると、ピン足５１３がリブ３５１に形成された穴３５１Ａに挿入されて係止され、見切板５０の胴部３５に対する移動が規制される。
こうして、見切板５０の製造およびケース３１への組み込みが完了する。
【００４４】
ところで、ダイビングコンピュータ１には、時刻モード、サーフェスモード、プランニングモード、設定モード、ダイビングモード、ログモードの６つのモードがあるが、ここでは、潜水時のモードであるダイビングモードにおける作用について説明する。ダイビングコンピュータ１は、図示しない水検知センサおよび圧力センサにより、入水後、深度が１．５ｍ以下であると検出されることによって自動的にダイビングモードに移行する。
【００４５】
このダイビングモードでは、無限圧潜水状態、減圧潜水状態、安全停止状態、および計測範囲外状態の４つの状態のうちいずれかの状態となる。ここで、図５に示されているのは、無減圧潜水状態であり、図１に示されているのは減圧潜水状態である。
ダイビングモード移行直後は、図５の無減圧潜水状態であって、無減圧潜水を行うために有用な情報として、上段領域２１１には、潜水時間および無減圧可能時間が時間表示部２１１３、減圧表示部２１１２にそれぞれ表示され、下段領域２１２には、現在の水深が深度表示部２１２１に表示されている。ここで、無減圧可能時間とは、体内不活性ガスの分圧が所定の許容値に到達するまでの時間をいい、ダイバーが滞留する水深（水圧）に応じて、制御部４０において算出されている。
現在の体内不活性ガス量のレベルは、第１バーグラフ２１３にセグメントＳＧＴの数で表示される。この体内不活性ガス量は、制御部４０により、水深（水圧）および潜水時間に基いて算出されたものである。
以上により、図３における液晶パネル２１には、潜水開始してから４分経過し、現在水深は７５ｍであり、この水深ではあと３３分間無減圧潜水を続けることができる旨が表示されている。また、現在の体内不活性ガス量のレベルは、第１バーグラフ２１３のセグメントＳＧＴが５つ表示されているので、レベル５となっている。
【００４６】
なお、無減圧潜水時、液晶パネル２１の表示は図５に示すような状態となっているが、操作ボタン４１を押下すると、現在時刻、潜水タンク内の酸素分圧、ＵＳＦなどが表示される第１のデマンド表示に所定秒の間、表示が切り替わる。また、他の操作ボタン４１を押下すると、現在水温、潜水時間、最大水深などが表示される第２のデマンド表示に所定秒の間、表示が切り替わる。
【００４７】
このダイビングモードでは、急激な浮上を回避するために、現在の浮上速度と現在水深における浮上速度許容値とが制御部４０により比較され、浮上速度が浮上速度許容値よりも大きい場合には、浮上速度警告が報知される。具体的には、報音装置からアラームが出力されるとともに、浮上の減速を促すために、メッセージ部２１１１に「ＳＬＯＷ」と点滅表示される。
【００４８】
また、１０ｍ以上の水深に潜った後に６．０ｍの水深に浮上した場合は、３分間の浮上停止を行う安全停止状態となる。この安全停止状態では、深度６．０ｍ〜１．５ｍの間で停止時間が計測され、現在深度６．０ｍを超えた場合には、その計時が一時停止され、さらに、現在深度１０ｍ以上となった時点で計時がリセットされる。
【００４９】
そして、水深が１．５ｍより浅いところにまで浮上したときには、潜水終了とみなされ、サーフェスモードに自動的に移行する。この際、日付、潜水時間、最大水深などの潜水ログデータが制御部４０のＲＡＭに保存される。このログデータは、潜水のたびに保存され、操作ボタン４１の押下により、ログ内容が液晶パネル２１に表示される。
【００５０】
本形態のダイビングコンピュータ１は、あくまで無減圧潜水を前提に構成されているが、万が一、体内不活性ガス量が許容値を超え、減圧潜水の状態になった場合には、図１に示すように、メッセージ部２１１１に警告表示として「ＤＥＣＯ」と点滅表示され、この警告表示とアラームにより、ダイバーに報知するようになっている。
この減圧潜水状態では、不活性ガスを体外に排出するために停止すべき深度が減圧表示部２１１２に表示され、時間表示部２１１３には、その停止時間と、現在水深からの総浮上時間が表示される。
具体的に、図１に示す状態では、体内窒素レベルは第１バーグラフ２１３のセグメントＳＧＴ全部が表示された最高値のレベル１０であり、所定の安全速度で浮上して水深６ｍで１分停止すべきであること、また、安全な浮上速度として、現在水深３５．２ｍから少なくとも３１分かけて浮上すべきことが表示されている。
【００５１】
ここで、本実施形態において特筆すべきことは、第１バーグラフ２１３には、上述のブロックパターン６１が隣接していることにより、第１バーグラフ２１３の表示は、ブロックパターン６１側に拡大されてこのブロックパターン６１の表示と一体的に見えるので、第１バーグラフ２１３の表示が目立ち、注視しなくても、容易に判読できる。
この際、見切板５０に斜面５１１Ａが形成されているので、液晶パネル２１の表面からブロックパターン６１へと視線がスムーズに運ばれるとともに、ブロックパターン６１の上端側は手前に迫り出して見えるので、第１バーグラフ２１３の強調効果がより一層高まる。また、この斜面５１１Ａに形成されたブロックパターン６１を液晶パネル２１正面の位置以外からも視認できるので、ダイバーの姿勢に関わらず、このブロックパターン６１を介して液晶パネル２１を読み取りやすい。
さらに、第１板部材５１の斜面５１１Ａが鏡面仕上とされているから、斜面５１１Ａに反射する光によってブロックパターン６１とブロックパターン６１との境界部分が鮮明に見える。これにより、第１バーグラフ２１３および第２バーグラフ２１４におけるレベル表示の判読性がより一層高まる。
【００５２】
また、第１バーグラフ２１３のセグメントＳＧＴの最大表示数分、すなわち、体内不活性ガス量の変域全体に亘ってブロックパターン６１が配置されていることから、ブロックパターン６１の数と、表示されているセグメントＳＧＴの数とを比較することによって、体内不活性ガス量レベルの最大値１０に対する現在のレベルを容易に把握できる。
【００５３】
この減圧潜水状態では、減圧停止すべき水深を過ぎて浮上した場合に、減圧停止指示違反の警告がアラーム、点滅表示などにより報知される。この場合は、減圧停止すべき水深に戻ることにより、警告が止まる。この警告に対処せず、そのまま浮上した場合は、ダイビングコンピュータ１はロック状態となり、その旨がログに記憶される。
【００５４】
一方、制御部４０では、体内酸素量が算出されており、この体内酸素量のレベルが第２バーグラフ２１４に表示される。この第２バーグラフ２１４の表示は、上述の第１バーグラフ２１３の表示と同様に、ブロックパターン６１によって強調されるので、容易に読み取ることができる。
そして、この第２バーグラフ２１４において、酸素量レベルが７になると、第２バーグラフ２１４の点滅表示、およびアラームの出力によって浮上が促される。さらに、酸素量レベルが８以上となると、酸素レベルが７になるまで、第２バーグラフ２１４の点滅表示、およびアラームの出力が続くとともに、その情報がログに保存される。
【００５５】
また、ナイトロクス潜水を行う場合は、酸素分圧の高い混合ガスを使用するため、体内酸素量を監視する必要がある。このため、制御部４０により体内酸素分圧が算出され、図１および図５に示すように、この体内酸素分圧が酸素分圧表示部２１２４に表示される。
そして、酸素分圧が１．４になった場合は、酸素分圧表示部２１２４が点滅するとともにアラームが鳴り、酸素分圧１．５までの間は、点滅表示するとともに、酸素分圧１．５になった時点で再びアラームが鳴る。
さらに、酸素分圧が１．６となると、酸素分圧が１．５に下がるまで、アラームが鳴り続けるとともに、酸素分圧表示部２１２４の表示および第２バーグラフ２１４の表示が点滅し続ける。このように酸素分圧が１．６となった場合は、その情報がログに保存される。
【００５６】
このような第１実施形態によれば、次のような効果がある。
（１）ブロックパターン６１がバーグラフ２１３，２１４にそれぞれ隣接することにより、バーグラフ２１３，２１４の領域がブロックパターン６１側に拡大されてバーグラフ２１３，２１４の領域とブロックパターン６１とが一体的に見える視覚効果が得られる。この視覚効果により、バーグラフ２１３，２１４が強調されるので、液晶パネル２１の構成を変更することなく、外装部品３に係るブロックパターン６１によって、表示された情報の視認性（判読性）を大きく向上させることができる。
【００５７】
（２）ブロックパターン６１を形成する部材として、見切板５０を採用したので、別途、表示補助部を設ける部材を不要にできる。
また、見切板５０は液晶パネル２１の周縁と近いことから、バーグラフ２１３，２１４の視認性を向上させることができる。
【００５８】
（３）見切板５０のブロックパターン６１が設けられた箇所が見切板５０内周側の斜面５１１Ａとなっているので、バーグラフ２１３，２１４の強調効果がより高まるとともに、この斜面５１１Ａに形成されたブロックパターン６１を介してバーグラフ２１３，２１４を容易に視認できる。
【００５９】
（４）バーグラフ２１３，２１４が示す体内ガス量レベルの変域全体にわたってブロックパターン６１が設けられているので、バーグラフ２１３，２１４とブロックパターン６１とのバランスを見れば、バーグラフ２１３，２１４全体に対するセグメントＳＧＴ数の割合を視覚的に容易に把握でき、体内ガス量を見誤ることなく確実に認識できる。
【００６０】
（５）ブロックパターン６１は第１板部材５１と、文字パターン７１は第２板部材５２と、いずれも電鋳により一体に成形されているので、落下衝撃や振動などに対しても、ブロックパターン６１や文字パターン７１が第１板部材５１や第２板部材５２から取れるおそれがない。特に、ダイビングコンピュータ１では、高い耐久性が要求されるので、本構成は非常に有効である。
【００６１】
（６）また、第１板部材５１および第２板部材５２が電鋳により形成されていることにより、立体的なブロックパターン６１や文字パターン７１，７２が形成された見切板５０を容易に製造することができる。
また、見切板５０が第１板部材５１および第２板部材５２の二体であることにより、電鋳の際の金属析出に要する時間を短縮でき、量産にも対応できるとともに、一体部品では制約のある複合仕上げを容易に実現できる。
さらに、第２板部材５２について他の板部材と互換性を持たせることで、見切板５０の種々のバリエーションを得ることができる。
近年、携帯用機器の小型化に伴い、ダイビングコンピュータ１の外装部品３についても仕上、装飾性、質感の高さが求められるところ、これらの要望に応えることができる。
【００６２】
（７）第１板部材５１の凸部５１１の形成により、第１板部材５１と第２板部材５２とを互いにずれることなく重ね合わせることができる。また、凸部５１１により、見切板５０の内周側に第１板部材５１と第２板部材５２との合わせ目が露出しないので、外観意匠を良好にすることができる。
【００６３】
（８）凸部５１１の立ち上がり部分と第２板部材５２との間に隙間ＳＰが形成されていることにより、第２板部材５２と第１板部材５１とを重ね合わせる際の、凸部５１１の立ち上がり部分と第２板部材５２との干渉を防止できる。なお、この隙間ＳＰは微小であるため、外観意匠が良好に保たれる。
【００６４】
（９）ダイビングコンピュータ１は、見切板５０を備えることにより、第１バーグラフ２１３や第２バーグラフ２１４の視認性に優れ、水中や夜間などの視認条件の悪い状況であっても、重要な情報である体内不活性ガスレベルや体内酸素量レベルを確実に判読できる。
【００６５】
〔第２実施形態〕
次に、本発明の第２実施形態について説明する。
なお、以下の説明では、既に説明した実施形態と同様の構成については、同一符号を付して、説明を省略もしくは簡略化する。
本実施形態は、第１実施形態において、見切板５０に設けられた表示補助部６０の構成を変更したものである。
図６は、本実施形態におけるダイビングコンピュータ８が示されている。
ダイビングコンピュータ８において、第１板部材５１の斜面５１１Ａには、第１実施形態のブロックパターン６１の代わりに、斜面５１１Ａから突出する模様パターン８１が形成されている。この模様パターン８１は、バーグラフ２１３，２１４に沿って延びるバー状のバー本体８１１と、このバー本体８１１からバーグラフ２１３，２１４に交差するように延びる指示部としての複数の突起８１２とを有している。
これらの突起８１２は、バーグラフ２１３，２１４の各セグメントＳＧＴの分割位置で液晶パネル２１表面側に張り出しており、セグメントＳＧＴの分割境界を際立たせている。
【００６６】
このような構成において、液晶パネル２１の裏側に設けられた照明装置のスイッチを入れると、液晶パネル２１の裏側から第１バーグラフ２１３および第２バーグラフ２１４のセグメントＳＧＴの表示が明るく照らされるが、突起８１２の部分では光が遮られるので、セグメントＳＧＴの境界が一層際立つ。この状態では、突起８１２と突起８１２との間に、個々のセグメントＳＧＴを読み取ることが容易であって、特に夜間における視認性が向上する。
【００６７】
〔本発明の変形例〕
本発明は、前述の各実施形態に限定されるものではなく、以下に示すような変形をも含むものである。
前記各実施形態では、表示補助部であるブロックパターン６１、模様パターン８１は、体内不活性ガス量のレベル、体内酸素量のレベルの各情報表示をそれぞれ強調していたが、表示補助部が強調する情報表示はこれに限られたものではない。携帯用機器の種類に応じて、表示部に表示される情報も勿論異なるから、例えば、本発明を時計に適用した場合は、時、分、曜、月、月齢、電池残量、高度、気圧、潮の満干、などの情報表示を強調するものとして構成できる。
また、表示補助部が強調する情報表示は体内ガス量や潜水深度、電池残量、温度、速度などの状態量に限らず、曜日、タイプ、モードなどであってもよい。
【００６８】
さらに、情報表示および表示補助部の形状や位置、数等は前記各実施形態に限定されない。例えば、表示部の周縁の数ヶ所に表示領域が散点的に設けられているような場合、これらの表示領域の情報表示と隣接する位置に表示補助部が形成されていてもよい。
【００６９】
そして、前記各実施形態では、環状部材は見切板５０，８０として構成されていたが、これに限らず、風防３２の外側に設けられるベゼル（飾り縁）に表示補助部を設けてもよい。この場合は、携帯用機器を平面的に見た際に、この飾り縁の内周側であって、表示部における情報表示と隣接する位置に、表示補助部を形成すればよい。
【００７０】
また、第２実施形態のような突起８１２を、例えば、第１バーグラフ２１３のレベル８の部分にのみ形成して、体内不活性ガス量レベルの許容値を指し示すことにより、体内不活性ガス量のレベルが許容値を超えているかどうかを容易に認識できる。
【００７１】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００７２】
本発明は、時計、ダイビングコンピュータをはじめとする携帯用機器に利用できるほか、カメラ、携帯電話、速度計、距離計、高度計、水深計などの表示部を有する各種の携帯用機器に広く利用できる。
【図面の簡単な説明】
【００７３】
【図１】本発明の第１実施形態におけるダイビングコンピュータの平面図。
【図２】図１のII−II線断面図。
【図３】前記実施形態における見切板の平面図。
【図４】図３のIV−IV線断面図。
【図５】前記実施形態のダイビングコンピュータの平面図であり、無減圧状態における情報表示部で表示される内容を示す図。
【図６】本発明の第２実施形態におけるダイビングコンピュータの平面図。
【符号の説明】
【００７４】
１，８・・・ダイビングコンピュータ（携帯用機器）、３・・・外装部品、２０・・・表示部、３１・・・ケース、５０，８０・・・見切板（環状部材）、５１・・・第１板部材、５２・・・第２板部材、６０・・・表示補助部、６１・・・ブロックパターン（強調用突起）、７１，７２・・・文字パターン（情報種別表示突起）、８１・・・模様パターン（強調用突起）、２１３・・・第１バーグラフ（表示部の表示内容）、２１４・・・第２バーグラフ（表示部の表示内容）、３１１・・・開口部、５１１・・・凸部、５１１Ａ・・・斜面、５１２・・・段差部、８１２・・・突起（指示部）、ＳＰ・・・隙間。
【図１】
2006138760.tif 000003
【図２】
2006138760.tif 000004
【図３】
2006138760.tif 000005
【図４】
2006138760.tif 000006
【図５】
2006138760.tif 000007
【図６】
2006138760.tif 000008